(57)【要約】【課題】  プリンタとスキャナを一体化したプリント装置において、装置内部のメンテナンスが容易となる装置レイアウトを提供する。【解決手段】  プリント装置は、筐体の内部に設けられたプリント部と、前記プリント部の上に設けられた、原稿を押圧するカバーを含むスキャナ部と、前記筐体に対して開閉することが可能に設けられた操作部とを有する。前記操作部を開けると、前記操作部が前記カバーの開閉を干渉する位置に移動し、且つ、前記プリント部の少なくとも一部が露出する。【選択図】  図２
2014053760.tif 000002
【特許請求の範囲】
【請求項１】
筐体の内部に設けられたプリント部と、
前記プリント部の上に設けられた、原稿を押圧するカバーを含むスキャナ部と、
前記筐体に対して開閉することが可能に設けられた操作部と、
を有し、前記操作部を開けると、前記操作部が前記カバーの開閉を干渉する位置に移動し、且つ、前記プリント部の少なくとも一部が露出することを特徴とするプリント装置。
【請求項２】
前記操作部は前記筐体に対して平行リンク機構で連結され、開閉の際には前記操作部がほぼ平行を保って移動することを特徴とする、請求項１に記載のプリント装置。
【請求項３】
前記平行リンク機構は４つのアームを含み、装置手前側の２つのアームは独立しており、装置奥側の２つのアームは一体化されていることを特徴とする、請求項２に記載のプリント装置。
【請求項４】
前記アームの端部には軸部が形成され、前記操作部が開閉する際に軸部が抜けないような位相を持ったフックが前記軸部に形成されていることを特徴とする請求項３に記載のプリント装置。
【請求項５】
前記平行リンク機構の動きが逆相モードにならないように付勢する付勢部材を有することを特徴とする、請求項３に記載のプリント装置。
【請求項６】
前記操作部から引き出される電気ケーブルが、前記装置手前側のアームの１つの背後を通って引き回されていることを特徴とする、請求項３に記載のプリント装置。
【請求項７】
前記筐体の手前に開閉することが可能であり、開けた状態において前記プリント部で用いるシートを支持する蓋部をさらに有し、
前記操作部と前記蓋部をともに開けた状態で、露出した前記プリント部の少なくとも一部にユーザがアクセスすること可能であることを特徴とする、請求項１から６のいずれか１項に記載のプリント装置。
【請求項８】
前記蓋部を開けるとユーザが前記操作部を開けるための手掛かり部が現れ、前記蓋部を閉めると前記手掛かり部は前記蓋部で隠れることを特徴とする、請求項７に記載のプリント装置。
【請求項９】
前記蓋部にはシートを支持するための延長部が収納されており、前記蓋部を開けると前記延長部は回動して前記蓋部の中から飛び出し、前記蓋部を閉じると前記延長部は回動して前記蓋部の中に収納されることを特徴とする、請求項７または８に記載のプリント装置。
【請求項１０】
前記操作部の底部に前記操作部の開閉とともに移動する隔壁が設けられており、
前記操作部を閉じ且つ前記蓋部を開けて前記プリント部でプリントするとき、発生するインクミストは、前記隔壁によって遮られ、装置外への漏れ出すことが抑制されることを特徴とする、請求項７から９のいずれか１項に記載のプリント装置。
【請求項１１】
前記カバーの内側に衝撃吸収体が取り付けられており、前記カバーを開けた状態で前記操作部を開けて次いで前記カバーを閉じると、前記衝撃吸収体が前記操作部の一部に当接することを特徴とする、請求項１から１０のいずれか１項に記載のプリント装置。
【請求項１２】
筐体の内部に設けられたプリント部と、
前記プリント部の上に設けられたスキャナ部と、
前記筐体に対して開閉することが可能に設けられた、表示面を有する操作部と、
を備え、
前記操作部は前記筐体に対して平行リンク機構で連結され、開閉の際には前記表示面がほぼ平行を保って移動するものであり、前記操作部を開けると前記プリント部の少なくとも一部が露出することを特徴とするプリント装置。
【請求項１３】
前記筐体の手前に開閉することが可能であり、開けた状態において前記プリント部で用いるシートを支持する蓋部をさらに有し、
前記操作部と前記蓋部をともに開けた状態で、メンテナンスのために前記プリント部にアクセスすること可能であることを特徴とする、請求項１２に記載のプリント装置。
【請求項１４】
前記蓋部を開けると、ユーザが前記操作部を開けるための手掛かり部が現れ、前記蓋部を閉めると前記手掛かり部は蓋部で隠れることを特徴とする、請求項１３に記載のプリント装置。
【請求項１５】
前記蓋部にはシートを支持するための延長部が収納されており、前記蓋部を開けると前記延長部は回動して前記蓋部の中から飛び出し、前記蓋部を閉じると前記延長部は回動して前記蓋部の中に収納されることを特徴とする、請求項１３または１４に記載のプリント装置。
【請求項１６】
前記平行リンク機構の動きが逆相モードにならないように付勢する付勢部材を有することを特徴とする、請求項１２から１５のいずれか１項に記載のプリント装置。
【発明の詳細な説明】
【技術分野】
【０００１】
本発明はシートにプリントを行うプリント装置に関する。
【背景技術】
【０００２】
特許文献１には大型のディスプレイを備えたプリンタが開示されている。この装置は、前面のディスプレイが筐体に対して横方向または縦方向にスライド移動することが可能となっている。ディスプレイをスライド移動させると開口が現われて、ユーザは筐体内部のプリント部にメンテナンスのためにアクセスすることができる。ディスプレイにはメンテナンスのための表示がなされる。
【先行技術文献】
【特許文献】
【０００３】
【特許文献１】特開２０１０−６４４３７号公報
【発明の概要】
【発明が解決しようとする課題】
【０００４】
昨今、単機能プリンタに代えて、プリンタとスキャナを一体化した複合機（マルチファンクションプリンタ）の普及が進んでいる。このような装置では、プリント機構の上にフラットベッドタイプのスキャナを配置したレイアウトが主流となっている。
【０００５】
特許文献１は単機能のプリンタであって、スキャナを一体化することに関してはなんら教示しない。仮に、複合機に、特許文献１のスライド移動するディスプレイを搭載することを想定しても、プリント機構の上で大きな容積を占有するフラットベッドスキャナが邪魔になって、装置内部へのアクセスするための開口を大きくすることが容易ではない。
【０００６】
本発明は上述の課題の認識に基づいてなされたものであり、プリンタとスキャナを一体化したプリント装置において、装置内部のメンテナンスが容易となる装置レイアウトを提供することを目的とする。
【課題を解決するための手段】
【０００７】
上述の課題を解決する本発明のプリント装置は、プリント部が内部に設けられた筐体と、前記プリント部の上に設けられた、原稿を押圧するカバーを含むスキャナ部と、前記筐体に対して開閉することが可能に設けられた操作部とを有し、前記操作部を開けると、前記操作部が前記カバーの開閉を干渉する位置に移動し、且つ、前記プリント部の少なくとも一部が露出することを特徴とする。
【発明の効果】
【０００８】
本発明のプリント装置によれば、筐体に対して開閉することが可能に設けられた操作部を有し、操作部を開けると、操作部がスキャナのカバーの開閉を干渉する位置に移動し、且つ、プリント部の少なくとも一部が露出する。そのため、装置内部のメンテナンスが容易であるとともに、メンテナンス中にスキャナのカバーが不用意に開けられることを防ぐことができる。
【図面の簡単な説明】
【０００９】
【図１】実施形態のプリント装置の外観斜視図
【図２】操作部と蓋部を開放した状態を示す斜視図
【図３】ユーザが操作部を開放する動作を説明するための図
【図４】開放した操作部に押圧カバーが干渉する状態を示す図
【図５】３つのリンク部品だけを抜き出して描いた部品図
【図６】平行リンク機構の動きを説明するための説明図
【図７】操作部に接続されている平行リンク機構の様子を示す斜視図
【図８】操作部の底部に設けられたインクミストカバーを示す図
【図９】前リンクの軸部の構造を示す斜視図
【図１０】後リンクの嵌合部の構造を示す斜視図
【図１１】後リンクの軸部の構造を示す斜視図
【図１２】開閉の際の平行リンク機構の各リンクの支点の動きを示す図
【図１３】逆相モードで操作部が開いてしまった状態を示す図
【図１４】操作部を開ける際の付勢部材の状態を示す図
【図１５】インクミストカバーと付勢部材の位置関係を示す図
【図１６】ＦＦＣの引き回しを説明するための斜視図
【図１７】ＦＦＣの引き回しを説明するための斜視図
【発明を実施するための形態】
【００１０】
本発明の実施形態として、プリンタとスキャナを一体化したプリント装置（複合機）について説明する。ただし、本発明はこれに限定されず、スキャナを持たないプリント装置であってもよい。
【００１１】
図１は実施形態に係るプリント装置の外観斜視図である。図２はプリント装置の操作部と蓋部を開けた状態を示す斜視図である。
【００１２】
プリント装置は、大きくは、操作部１、スキャナ部２、プリント部３、蓋部３２、および制御部（プリント装置の筐体内部に設けられた制御回路基板）を備えている。使用時には、ユーザは矢印Ａの方向からプリント装置に向き合う。本明細書では、使用環境に設置された装置は、ユーザが向き合う矢印Ａの方向に沿って手前、奥と定義し、重力方向に沿って上、下と定義する。
【００１３】
操作部１は、スキャナ部２よりも手前に設けられている。操作部１の上面のパネルには、ＬＣＤやＯＬＥＤなどの表示器１１、複数の入力キー１２が設けられている。入力キー１２は、カラーコピースタートキー、モノクロコピースタートキー、ストップキー、矢印キー、電源ボタンなどである。
【００１４】
操作部１のパネルは、矢印Ａの方向から操作するユーザの視認性および操作性を高めるために、水平に対して前方側に僅かに傾斜している。表示器１１は、その表示面１１ａがタッチパネルで入力ができるものであってもよい。また、表示器１１は、操作部のパネルに対して、ヒンジによって起き上がるようにしてもよい。
【００１５】
スキャナ部２はフラットベッド型のスキャナであり、原稿を置くための原稿台（透明ガラス板）を、押圧カバー２ａ（原稿圧板）で押さえるようになっている。原稿台の中には光学的に原稿を読み取るためのラインセンサやキャリッジを含むスキャナ部が設けられている。押圧カバー２ａは装置奥側の２カ所のヒンジ２ｂを回転中心にして、原稿台に対して開閉することができる。押圧カバー２ａの手前側には、ユーザがカバーを開ける際に指を掛ける切欠きが形成されている。
【００１６】
なお、押圧カバー２ａに代えて、複数の原稿を順次原稿台の上に自動給送するオートシートフィーダ（ＡＳＦ）であってもよい。この場合もオートシートフィーダは、同様のヒンジによって原稿台に対して開閉可能とする。
【００１７】
プリント部３は、装置の筐体の内部に収納されており、図１の状態ではプリント部３は筐体の外からは見えない。プリント部３はインクジェット方式のプリントヘッドと、このプリントヘッドおよび複数色に対応した複数のインクタンクを搭載して、シートに対向してシート幅方向に往復移動するキャリッジを有する。キャリッジを移動させながらプリントヘッドからインクを吐出して１バンドのプリントを行う動作と、シートのステップ送り動作とを繰り返して、シリアルプリントを行う。なお、キャリッジを用いずに、ラインプリントヘッドによりラインプリントを行うものであってもよい。また、プリント方式はインクジェットに限らず、電子写真方式、サーマル方式、熱転写方式など他の方式であってもよい。
【００１８】
蓋部３２は、装置筐体の手前側に設けられており、２カ所のヒンジで手前に開けることが可能であり、開けた状態においてプリント部３でプリントされて排出されるシートを複数枚支持することができるシート積載面を持つ。
【００１９】
この構成において、図１の状態から図２に状態にするには、ユーザは最初に蓋部３２を手前に開ける。次いで、操作部１を上に持ち上げる。後述するように、操作部１は平行リンク機構により平行を保ちながら上方且つ奥側に移動する。こうして、図２の状態に移行すると、プリント部に対するメンテナンスを可能とする開口が現れる。また、画像を取り込むためのメモリカードが挿入されるカードスロット４が現れる。
【００２０】
操作部１を開状態にする前に蓋部３２が手前に開いているので、ユーザは矢印Ａの方向からアクセスが容易である。ユーザは開口から装置内部のプリント部にアクセスして種々のメンテナンスを行なうことができる。メンテナンスには、例えば次のようなものがある。
（１）ジャムの復帰作業
プリント中にプリントメディアがジャムを起こして詰まった際に、ユーザが詰まったメディアを取り除くジャム処理である。装置がジャムを検知したら、ジャムが発生したジャム位置、復帰のための操作手順などを表示器１１に表示して、メンテナンス作業をするユーザの便宜を図る。
（２）インクタンクの交換作業
空になった色のインクタンクをユーザが交換する交換作業である。操作部１を開放すると、プリント部のキャリッジが自動的に開口の近傍まで移動して、交換作業を可能にしている。このとき、表示器１１に、交換が必要なインクタンクと操作手順などを表示して、メンテナンス作業をするユーザの便宜を図る。
【００２１】
図３を用いて、ユーザが操作部１を開放する動作をより詳しく説明する。図３は、装置の手前側の部分を側方から見た図であり、図３（ａ）〜図３（ｄ）は動作の一連を時系列に示している。
【００２２】
図３（ａ）では、操作部１、蓋部３２ともに閉じられた状態を示す。ユーザは、最初に蓋部３２に隣接して装置両側面に形成されている２か所の凹部３２ａに指先を差し込む。そして、蓋部３２の両端を手間に引いて、蓋部３２を手前に開ける。図３（ｂ）は蓋部３２を開けた状態である。蓋部３２を開けると、延長トレイ３３が手前側に自動的に飛び出すようになっている。延長トレイ３３（延長部）は蓋部３２の中に収納されており、蓋部３２を開けると、延長トレイ３３は折り畳みナイフのごとく回動して蓋部の中から飛び出す。逆に、蓋部３２を閉じると、延長トレイは折り畳みナイフのごとく回動して蓋部の中に収納される。なお、蓋部３２はユーザが指で開ける形態に限らず。開閉用のボタンを押すことでストッパが外れて自動的に回動して開くようにしてもよい。あるいはプリントに際して制御部の指令により自動的に蓋部３２が開くようにしてもよい。
【００２３】
蓋部３２を開けると、それまで蓋部３２によって隠れていた、操作部１の手前側の底部１３が現れる。底部１３は、操作部１を上方に移動させるためにユーザが指をかける手掛かり部となる。つまり、蓋部３２を開けるとユーザが操作部１を開けるための手掛かり部が現れ、蓋部３２を閉めると手掛かり部は蓋部で隠れるようになっている。
【００２４】
ユーザは底部１３に指の腹を掛けて、操作部１を上方に持ち上げる。図３（ｃ）は持ち上げ始めた状態を示す。操作部１をさらに移動させると、平行リンク機構により、操作部１は平行を保ちながら奥側に移行する。図３（ｄ）は移行が終わって操作部１が開き切った状態を示す。
【００２５】
図３（ｄ）の状態では、スキャナ部の押圧カバー２ａの手前側の上方を、操作部１の一部が覆う。押圧カバー２ａを開けようとしても、操作部１が物理的に干渉して、押圧カバー２ａは開けることができない。そのため、メンテナンス中にスキャナのカバーが不用意に開けられることを防ぐことができる。例えば、メンテナンスにおいて、ユーザが装置を大きく傾けるあるいは上下ひっくり返したとしても、操作部１と干渉するので押圧カバー２ａが勝手に開いてしまう事態が防がれる。
【００２６】
また、メンテナンスにおいては、インクタンク交換作業を目的として、プリントヘッドは自動的に開口の近傍に移動する。この状態ではインク吐出するノズルは空気中に開放されて且つインクも吐出しないので、インク乾燥によりノズルの目詰まりや吐出不良を起こしやすい。もし、図３（ｄ）の状態でスキャナの動作が可能だとすると、画像読み取りには時間がかかるので、その間にノズル乾燥が進んでしまう。本実施形態では、図３（ｄ）の状態では、操作部１の干渉より、押圧カバー２ａを開けてユーザがスキャナで読み取りを行うことを阻止するので、上述の不具合を未然に防いでいる。
【００２７】
このように、操作部１を開けると、操作部１が押圧カバー２ａの開閉を干渉する位置に移動し、且つ、プリント部３の少なくとも一部が露出し、筐体の外から見えるようになっている。そのため、装置内部のメンテナンスが容易であるとともに、メンテナンス中にスキャナのカバーが不用意に開けられること、ユーザがスキャナで画像読み取りを行うことを防ぐことができる。
【００２８】
もし、ユーザが意図的に押圧カバー２ａを開けた状態で、操作部１を開放した場合には、押圧カバー２ａを閉じることができなくなる。図４はその状態を示す。押圧カバー２ａの内側面２ｃの一部が操作部１の角に当接して、これ以上押圧カバー２ａを閉めることができない。内側面２ｃは衝撃吸収体（例えばスポンジ）付きの白色シートとしている。そのため、衝撃吸収体がクッションとなり、押圧カバー２ａを勢いよく閉めたとしても、操作部のパネルや白色シートに傷がつく懸念が無い。なお、衝撃吸収体はスポンジに限らず、衝撃を吸収する作用を持った弾性材料であればよい。
【００２９】
図５〜図７を用いて、平行リンク機構の詳細について説明する。図５は３つのリンク部品だけを抜き出して描いた部品図である。図６は平行リンク機構の動き（軌跡）を説明するための説明図である。図７は操作部に接続されている平行リンク機構の様子を示す斜視図である。
【００３０】
平行リンク機構は、装置手前側の左前リンクアーム４１、右前リンクアーム４２、および装置奥側の後リンクアーム４３の３つの部材から構成されている。左前リンクアーム４１と右前リンクアーム４２は、独立しており、操作部１の手前側を左右の２カ所で筐体に対して支持する。後リンクアーム４３は１部品であり、操作部１の奥側の２カ所を支持し、筐体側では２カ所で支持される。
【００３１】
左前リンクアーム４１の両端には軸部４１ａ、４１ｂが形成されている。同様に、右前リンクアーム４２の両端には軸部４２ａ、４２ｂが形成されている。装置本体に軸部４１ａ、４２ａが回転可能に保持されるとともに、操作部１の底面の手前側（後述するインクミストカバー１４の側面）に軸部４１ｂ、４２ｂが回転可能に保持されている。後リンクアーム４３もその両端に軸部４３ａ、４３ｂが形成されている。装置本体に軸部４３ａが回転可能に保持されるとともに、操作部１の底面の奥側の２カ所に軸部４３ｂが回転可能に保持されている。
【００３２】
操作部１が移動する際に、軸部４１ａと４１ｂを結ぶ中心間距離と、軸部４２ａと４２ｂを結ぶ中心間距離と、軸部４３ａと４３ｂを結ぶ中心間距離は、全て等しく維持され、横から見たときに３つのリンクは平行四辺形を維持しながら動く。この平行リンク機構はいわゆる「４節平行リンク機構」である。操作部１はパネル面、すなわち表示器の表示面が平行を保ちながら、滑らかに移動することができる。後リンクアーム４３は単一部品として一体化されているため、ユーザが操作部１を左右対称に持ち上げずに、平行リンク機構にねじれ方向の力を加わったとしても、変形が小さく滑らかな移動が維持される。
【００３３】
図７、図８において、操作部１の下面の手前側には、インクミストの流れを遮断する隔壁としてインクミストカバー１４が設けられている。インクミストカバー１４には左右両側に左前リンクアーム４１、右前リンクアーム４２の軸部４１ｂ、４２ｂが嵌合するような穴１４ｂが設けられている。
【００３４】
操作部１が全閉の状態では、インクミストカバー１４はプリント部３の手前側に仕切り壁として存在し、開口をほぼ覆うように構成されている。プリント動作中にプリント部３で発生するインクミストの流れは隔壁であるインクミストカバー１４で遮られ、開口を通して装置外にインクミストが漏れ出すことが抑制される。メンテナンス時には、インクミストカバー１４がプリント部へのアクセスを妨げない位置に逃げるので、メンテナンス作業は効率よく行うことができる。
【００３５】
リンクの回転嵌合部について詳細に説明する。図８に示すように、軸部４１ｂ、４２ｂと嵌合するインクミストカバー１４に設けられた穴１４ｂにはそれぞれ、穴に隣接して切欠き１４ｃが形成されている。また、図９に示すように、左前リンクアーム４１の軸部４１ｂにはその端部に抜け止め用のフック４１ｃが設けられている。右前リンクアーム４２についても同様である。
【００３６】
操作部１の開閉の移動範囲において、フック４１ｃと切欠き１４ｃは合致しないような位相関係となっている。組み立て時には、リンクアーム４１をインクミストカバー１４に組み込む際に、フック４１ｃを切欠き１４ｃに合わせて挿入する。その後フック４１ｃを回転させ、位相をずらす。これにより、フック４１ｃが抜け止めとして機能し、操作部の開閉において軸部が穴から抜けることがなくなる。  
同様に、図１０に示すように、スキャナ部２の上部の原稿台２１には、リンクアーム４３の軸部４３ａが嵌合する穴２２ａが形成されている。さらに穴２２ａに隣接して切り欠き２２ｃが形成されている。また、図１１に示すように、後リンクアーム４３側の軸部４３ａにはその端部に抜け止め用のフック４３ｃが設けられている。操作部１の開閉の移動範囲において、フック４３ｃと切り欠き２２ｃが合致しないように移動関係となっている。これにより、フック４３ｃが抜け止めとして機能し、操作部の開閉において軸部が穴から抜けることがなくなる。  組み立て手法は、フック４１ｃと切欠き１４ｃと同じである。
【００３７】
図１２は操作部１が全閉から全開まで移動する際の平行リンク機構の各リンクの支点の動きを示した図である。図１２（ａ）は全閉、図１２（ｂ）は４°、図１２（ｃ）は６０°、図１２（ｄ）は全開（１３５°）開いた状態を示す。先にも説明したように、３つのリンクは平行四辺形を維持しながら動く４節平行リンク機構である。したがって、図１２に示すように、操作部１が全閉状態から全開状態まで移動する際に、軸部４１ａと４１ｂを結ぶ中心間距離と、軸部４２ａと４２ｂを結ぶ中心間距離と、軸部４３ａと４３ｂを結ぶ中心間距離は、全て等しく維持される。
【００３８】
図１２（ａ）の全閉状態から、図１２（ｄ）の全開状態に移行させる過程において、図１２（ｂ）の４°のときだけ、側方から見たときに全てのリンクの支点（軸部４１ａ、４１ｂ、４３ａ、４３ｂ）が一直線上に並ぶ。４節平行リンク機構では、すべての支点が一直線に並ぶと不安定な系になりやすい。不安定な系では、一部のリンクが本来とは逆方向に移動してしまいやすくなる。
【００３９】
一例として、図１２（ｅ）は、後リンクアーム４３だけが意図しない方向に移動してしまった状態を示す。本来ならば、左前リンクアーム４１と共に、後リンクアーム４３も軸部４３ａを中心に、時計回転方向に回転する（同相モード）はずであるが、後リンクアーム４３だけが反時計方向に回転して（逆相モード）いる。図１３は、逆相モードで操作部１が開いてしまった状態を示す図である。操作部１は、手前側のみが持ち上がり、奥側は逆に下がって装置本体と当接してしまっている。こうなってしまうと、これ以上は操作部１を移動させることができない。
【００４０】
これを回避するため本実施形態では、図１４に示すように、４節平行リンク機構が一直線上に並ぶ（４°）近傍の角度で、逆相モードにならないような付勢力を与えるため、付勢部材１５を設けている。付勢部材１５はポリアセタール樹脂などの弾性体であり、その下端は装置本体に固定され、上端は揺動可能である。
【００４１】
図１４（ａ）は操作部１が全閉状態である。操作部１の底部に形成されたインクミストカバー１４は、付勢部材１５に接触していない。そのため、付勢部材１５は変形せずに真直ぐな形状である。これに対して、図１４（ｂ）は操作部１が４°回転した状態である。上述のように、このとき４節平行リンク機構の各リンクの支点がすべて一直線に並んで、逆相モードになりやすい不安定な系となる。本実施形態では、この状態になる直前に、インクミストカバー１４と付勢部材１５とが接触し出すように、インクミストカバー１４と付勢部材１５との位置関係が規定されている。
【００４２】
図１５を用いて詳しく説明する。平行リンクの全ての支点が一直線に並ぶ直前に、手前側に変位したインクミストカバー１４の先端部分が、付勢部材１５の根元部分と当接する。その反作用力として、付勢部材１５はインクミストカバー１４の下端を奥側に向けて押す力Ｆを発生させる。上述したように、インクミストカバー１４は操作部１と一体に構成されており、リンクの軸部４１ｂ、４３ｂはインクミストカバー１４に支持されている。そのため、力Ｆにより、軸部４３ｂは略上方向（同相モード）の付勢力を受けて、後リンクアーム４３が逆相モードへの移行することが抑止される。
【００４３】
このように、平行リンク機構の全ての支点が略一直線になるときには、付勢部材１５の働きでインクミストカバー１４が逆相モードにならないような付勢力を受けるので、平行リンク機構のより確実な動作が実現する。
【００４４】
図１４、図１６、図１７を用いて、操作部１と装置本体内に設けられた制御部（制御回路基板）との間の電気ケーブルの引き回しについて説明する。操作部１に設けられた各種の電子部品（表示器、キー、ランプなど）を駆動するために、操作部１と制御部とは信号線としてＦＦＣ１６（フレキシブルフラットケーブル）で接続されている。
【００４５】
操作部１の開閉に伴って、ＦＦＣ１６もその動きに追従して変形させる必要がある。ＦＦＣ１６の屈曲Ｒがあまりにも小さいと、変形を繰り返すと金属疲労によりＦＦＣ１６が断線する懸念が生じる。また、ＦＦＣ１６が目立つ場所を通っていると、静電気が帯電したユーザの手がＦＦＣ１６に触れて、放電で制御部や操作部の誤動作が起きる懸念もある。
【００４６】
これを回避するため、操作部１が全閉状態もなっても（図１４（ａ））、ＦＦＣ１６は金属疲労が起きない程度の屈曲Ｒ（Ｒ＝５ｍｍ程度）を持つようにしている。操作部１が全開状態（図１６、図１７）では、ＦＦＣ１６は変形が緩和され、ゆるやかに撓んだ形状になる。このとき、左前リンクアーム４１の張り出し４１ｄ、およびインクミストカバー１４の背後にＦＦＣ１６の手前に配置される。そのため、これらが防護壁となってユーザがＦＦＣ１６に手を触れてしまうことを抑止する。さらに、図１７に示すように、ＦＦＣ１６の背後（装置の奥側）にはシート部材１７を設けている。シート部材１７により、ユーザが裏側から指を入れてＦＦＣに触れることを抑止する。
【００４７】
以上の実施形態のプリント装置は、筐体に対して開閉することが可能に設けられた操作部を有し、操作部を開けると、操作部がスキャナのカバーの開閉を干渉する位置に移動し、且つ、プリント部の少なくとも一部が露出する。そのため、装置内部のメンテナンスが容易であるとともに、メンテナンス中にスキャナのカバーが不用意に開けられることを防ぐことができる。
【００４８】
また、操作部は筐体に対して平行リンク機構で連結され、開閉の際には操作部のパネル面および表示面がほぼ平行を保って移動する。そのため、移動中にもパネル面および表示面の角度が変わらず、ユーザにとっての違和感がない。そして、ユーザは表示部に表示されるメンテナンスのための情報を見ながら容易にメンテナンス作業に行うことができる。
【符号の説明】
【００４９】
１  操作部
２  スキャナ部
２ａ  押圧カバー
３  プリント部
３２  蓋部
４１  左前リンクアーム
４２  右前リンクアーム
４３  後リンクアーム
【図１】
2014053760.tif 000003
【図２】
2014053760.tif 000004
【図３】
2014053760.tif 000005
【図４】
2014053760.tif 000006
【図５】
2014053760.tif 000007
【図６】
2014053760.tif 000008
【図７】
2014053760.tif 000009
【図８】
2014053760.tif 000010
【図９】
2014053760.tif 000011
【図１０】
2014053760.tif 000012
【図１１】
2014053760.tif 000013
【図１２】
2014053760.tif 000014
【図１３】
2014053760.tif 000015
【図１４】
2014053760.tif 000016
【図１５】
2014053760.tif 000017
【図１６】
2014053760.tif 000018
【図１７】
2014053760.tif 000019